(57)【特許請求の範囲】
【請求項１】
送信信号のプリコーディング処理に用いられる重み行列についての識別情報を他の無線通信装置に送信し、該他の無線通信装置により該識別情報を用いてプリコーディング処理されて送信される信号を受信する無線通信装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
最新の受信信号からさかのぼって複数の受信信号についての再送状態を記憶する記憶部と、
前記複数の受信信号についての再送状態が所定条件を満たすと、前記演算部で行われている演算処理を停止させる停止制御部と、
を備え、
前記停止制御部は、前記演算部で行われている演算処理を停止すると、あらかじめ決められた固定の前記識別情報を前記他の通信装置に送信することを特徴とする無線通信装置。
【請求項２】
請求項１の無線通信装置において、
前記所定条件は、再送状態が再送待ちである受信信号の数が所定数以上であることを特徴とする無線通信装置。
【請求項３】
請求項１の無線通信装置において、
前記所定条件は、再送状態が再送待ちである受信信号の数が最新の受信信号から遡って所定数以上であることを特徴とする無線通信装置。
【請求項４】
請求項１の無線通信装置において、
前記再送状態は、各受信信号が再送待ちである場合の再送回数を含み、
前記所定条件は、再送回数が所定閾値以上である受信信号の数が所定数以上であることを特徴とする無線通信装置。
【請求項５】
送信信号のプリコーディング処理に用いられる重み行列についての識別情報を他の無線通信装置に送信し、該他の無線通信装置により該識別情報を用いてプリコーディング処理されて送信される信号を受信する無線通信装置の制御装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
最新の受信信号からさかのぼって複数の受信信号についての再送状態を記憶する記憶部と、
前記複数の受信信号についての再送状態が所定条件を満たすと、前記演算部で行われている演算処理を停止させる停止制御部と、
を備え、
前記停止制御部は、前記演算部で行われている演算処理を停止すると、あらかじめ決められた固定の前記識別情報を前記他の通信装置に送信することを特徴とする制御装置。
【発明の詳細な説明】
【技術分野】
【０００１】
本開示は、プリコーディング処理を行う無線通信システム、それを構成する無線通信装置及びその制御装置に関する。
【背景技術】
【０００２】
MIMO技術は、無線信号の送受信に複数のアンテナを用いる無線通信システムである。MIMOはMulti-Input Multi-Outputの略称である。MIMOによる無線信号伝送では、送信データを並列化して、複数のアンテナから送信することで、アンテナの数分の多重伝送が可能となり、データレートの増大を達成できる。また、MIMOによる無線信号伝送では、複数のアンテナで同一のデータを受信することで、受信ダイバーシチ効果を得ることができる。また、送信側において、複数のアンテナから同一データを送信することで、送信ダイバーシチ効果を得ることもできる。
【０００３】
MIMO技術は、次世代の無線通信システムであるLTEシステムに適用される。LTEはLong Term Evolutionの略称である。LTEシステムは、第３世代の無線通信方式であるW-CDMAの高速データ通信規格であり、伝送方式としてOFDMが採用されている。W-CDMAはWideband Code Division Multiple Accessの略称であり、OFDMはOrthogonal Frequency Division Multiplexingの略称である。無線通信におけるOFDM伝送方式は、直交化された複数のサブキャリアで信号伝送を行うため、周波数利用効率が高く、高速伝送を実現することができる方式である。送信OFDMシンボル列は分割されて多数のサブキャリアに振り分けられ並列送信される。このため、１つのサブキャリア当たりの伝送速度を低速化することができ、マルチパスにおける遅延干渉特性の向上を図ることができる。LTE方式は、3GPPのTS36 seriesにて規格化されている。3GPPは3rd Generation Partnership Projectの略称である。
【０００４】
また、MIMO技術では、送信装置でプリコーディング処理が実施される（特開２００８−１０４１９３号公報）。送信信号は複数のアンテナから送信され、各アンテナからの送信信号は、それぞれ複数のアンテナで受信される。すなわち、送信信号は、複数の送信側アンテナと複数の受信側アンテナ間の複数のチャネルを経て各受信側アンテナに到達する。なお、以下チャネルを伝搬路と記載する場合もある。受信装置では、各受信信号を合成して復調するために、受信信号に含まれる既知のパイロット信号に基づいて、送信側アンテナと受信側アンテナ間の各チャネルの特性を推定するチャネル推定処理を実行する。また、受信信号は、各チャネルにおいて、マルチパスフェージングなどによって振幅や位相が歪んだ波形となり、受信特性が悪化する場合がある。
【０００５】
送信装置でのプリコーディング処理は、受信側で求められたチャネル推定値に基づいて、受信装置での受信特性が最も良好になるように、送信装置での送信データに対して、伝搬路特性を打ち消すため重み行列をあらかじめ乗算する処理である。例えば、LTEシステムにおけるプリコーディング処理は、3GPP TS 36.211 V8.5.0 (2008-12) 6.3.4 Precodingに規定されている。重み行列の種類はアンテナの本数に応じてあらかじめ決められており、送信装置と受信装置は、重み行列テーブルとそのインデックスを識別するプリコーディングマトリクスインジケータのテーブルを保持している。以下、プリコーディングマトリクスインジケータをPMI又は識別情報と称す。なお、重み行列テーブルは例えばコードテーブルである。受信装置は、受信信号から求められたチャネル推定値に基づいて最適なPMIを求める演算を行い、そのPMIを送信装置にフィードバックする。伝搬路の特性変化に応じて、受信装置で求められるPMIも変化し、そのPMIを送信装置にフィードバックすることで、受信装置は常に最適な受信特性を得ることができる。このフィードバックによる制御はクローズドループ制御と呼ばれる。
【０００６】
LTEシステムでは、送信側である無線基地局装置は、ダウンリンク信号として、ユーザデータを伝送するためのユーザチャネルと受信側で既知である参照信号を多重化したOFDM信号を送信する。以下では、ユーザチャネルをSCHと称し、参照信号をRS（Reference Signal、パイロット信号とも称す）と称す。送信側の無線基地局装置は、SCHのみをプリコーディング処理し、RSをプリコーディング処理しない。受信側である移動端末は、既知のRSと受信されたRSとの比較に基づいて伝搬路の特性を求め、PMIを演算により求める。送信SCH（SCHtx）と受信SCH(SCHrx)の関係及び送信RS（RStx）と受信RS（RSrx）の関係は、それぞれ以下の（１）式及び（２）式で表される。
【０００７】
【数１】
0005381405.tif 000002
【０００８】
【数２】
0005381405.tif 000003
【０００９】
Hchは伝搬路の特性を表す伝搬行列（以下、チャネル推定値と称す）、Wiは重み行列、iはPMI、Nはノイズである。（１）式において、理想的には、チャネル推定値Hchと重み行列Wiが相殺されることで、最も良好な受信特性が得られる。また、送信RStxには、重み行列Wiによるプリコーディング処理を行わないことで、受信側の移動端末は、チャネル推定値Hchを求めることができる。
【先行技術文献】
【特許文献】
【００１０】
【特許文献１】特開２００８−１０４１９３号公報
【非特許文献】
【００１１】
【非特許文献１】3GPP TS 36.211 V8.5.0 (2008-12) 6.3.4 Precoding
【発明の概要】
【発明が解決しようとする課題】
【００１２】
受信側の移動端末は、受信アンテナの数分の各チャネル推定値Hを最大比合成処理し、複数本の隣接するサブキャリアの周波数帯域であるサブバンド単位ですべてのPMI毎に評価指標を演算し、すべての演算結果を記憶する。そして、移動端末はその演算結果に基づいて最適なPMIを選択する。評価指標の一例メトリックMiを（３）式に示す。
【００１３】
【数３】
0005381405.tif 000004
【００１４】
メトリックMiをPMI数分全て求めて、最大のMiとなった時のiが最適PMIとなる。Hはチャネル推定値で
【００１５】
【数４】
0005381405.tif 000005
【００１６】
、()Hは共役転置、scはOFDMサブキャリアを表し、NscはOFDMサブキャリア数を表す。
【００１７】
受信側の移動端末は、通信中常にこのPMIを求める演算処理を行い続ける場合、上記（３）式の演算を多量に行うため、電力消費が大きくなる。
【００１８】
そこで、本開示の目的は、無線通信装置において、プリコーディング処理に用いられる識別情報を求める演算処理に伴う電力消費を低減することにある。
【課題を解決するための手段】
【００１９】
本開示の無線通信装置は、送信信号のプリコーディング処理に用いられる重み行列についての識別情報を他の無線通信装置に送信し、該他の無線通信装置により該識別情報を用いてプリコーディング処理されて送信される信号を受信する無線通信装置において、受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、最新の受信信号からさかのぼって複数の受信信号についての再送状態を記憶する記憶部と、前記複数の受信信号についての再送状態が所定条件を満たすと、前記演算部で行われている演算処理を停止させる停止制御部と、
を備え、前記停止制御部は、前記演算部で行われている演算処理を停止すると、あらかじめ決められた固定の前記識別情報を前記他の通信装置に送信する。
【００２０】
また、停止制御部は、データ信号成分と干渉信号成分との電力比（ＳＩＲ）に基づいて、ＰＭＩ演算部で行われている演算処理を停止させる制御を行ってもよい。
【発明の効果】
【００２１】
本開示の無線通信装置によれば、プリコーディング処理に用いられる識別情報を求める演算処理に伴う電力消費を低減することができる。
【図面の簡単な説明】
【００２２】
【図１】本実施の形態における無線通信システムの要部構成例を示す図である。
【図２】PMI演算部207の構成例を示す図である。
【図３】HARQ合成部208及びHARQ合成制御部209の構成例を示す図である。
【図４】停止制御部211の第１の停止制御処理を説明するための図である。
【図５】停止制御部211の第２の停止制御処理を説明するための図である。
【図６】停止制御部211の第３の停止制御処理を説明するための図である。
【発明を実施するための形態】
【００２３】
以下、図面を参照して本発明の実施の形態例について説明する。ただし、かかる実施の形態例が本発明の技術的範囲を限定するものではない。
【００２４】
本実施の形態例では、伝搬路の状況が悪く、受信信号に含まれるノイズが大きい場合、無線通信装置は、PMI推定処理を一時的に停止する。PMIはPrecoding Matrix Indicatorの略称である。ノイズが大きい場合、推定したPMIの確からしさが低下する。確からしさの低いPMIを送信側である他の無線通信装置にフィードバックし、当該他の無線通信装置がそのPMIに基づいてプリコーディング処理を行っても、受信側である無線通信装置における受信特性の改善が見込めない。無線通信装置は、PMI演算処理を行っても受信特性の改善が見込めない程度の伝搬路の悪化状況であるかどうかを判定し、そのような悪化状況であることを判定すると、PMI演算処理を一時的に停止する。これにより、無線通信装置の電力消費を削減することができる。特に、無線通信装置が移動端末である場合、搭載バッテリによる限られた電力容量を有効活用でき、バッテリの持ち時間を延ばすことができる。
【００２５】
本実施の形態例では、無線通信装置は、PMI演算処理を行っても受信特性の改善が見込めない程度の伝搬路の悪化状況であるかどうかについて、再送制御における再送状態に基づいて判定する。再送制御をARQと称す場合がある。ARQはAutomatic Repeat reQuestの略称である。
【００２６】
再送制御は、送信側から送信されたデータを、受信側が正常に復号できなかった場合に、送信側が再度同じデータを送信する制御方式である。エラー検出方式として、例えば、CRCが用いられる。CRCはCyclic Redundancy Checkの略称である。受信側では、データを正常に復号できなかった場合は、送信側へNACK 情報を通知することで、データの再送を要求する。正常受信時は、ACK情報が通知される。
【００２７】
データの再送は、伝搬路の状況が悪く、ノイズが大きい場合に頻繁に生じる。従って、PMI演算の停止制御部が、再送が頻繁に起きているかどうかを監視し、一定の水準以上にデータの再送が生じている場合は、演算により求められるPMIの確からしさは低いと判定し、PMIを求める演算処理を停止する。
【００２８】
なお、再送制御と誤り訂正符号化処理を組み合わせたHARQ方式も実現されている。HARQはHybrid Automatic Repeat reQuestの略称である。本実施の形態例では、再送制御としてHARQ処理が適用される例について説明する。もちろん、本実施の形態例は、ARQ処理が採用される無線通信システムにも適用可能である。
【００２９】
図１は、本実施の形態における無線通信システムの要部構成例を示す図である。図１に例示される無線通信システムは、例えばMIMO技術を採用するLTEシステムであり、送信側である無線基地局100と受信側である移動端末200とを備えて構成される。無線基地局100は、変調部101と、プリコーディング処理部102と、多重部103と、S/P部104、IFFT部105と、GI付加部106と、無線部107と、HARQ制御部108と、複数のアンテナ109-1〜109-nとを備える。アンテナ109-1〜109-nを区別しない場合は、アンテナ109と総称する。移動端末200は、無線部201と、シンボル抽出部202と、FFT部203と、復調部204と、チャネル推定部205と、SIR推定部206と、PMI演算部207と、HARQ合成部208と、HARQ合成制御部209と、復号部210と、停止制御部211と、アンテナ212-1〜212-nを備える。アンテナ212-1〜212-nを区別しない場合は、アンテナ212と総称する。
【００３０】
無線基地局100の構成について説明する。変調部101は、ターボ符号化などの所定の誤り訂正符号化処理されたユーザデータの符号化系列を所定の変調方式で変調して、同相成分と直交成分を有するデータシンボルを生成する。変調方式は、例えば、QPSKや16QAMなどである。QPSKはQuadrature Phase Shift Keyingの略称であり、16QAMは16 Quadrature Amplitude Modulationの略称である。また、ユーザデータには、誤り検出符号として例えばCRC符号が付加されている。CRCはCyclic Redundancy Checkの略称である。
【００３１】
プリコーディング処理部102は、PMIに対応する重み行列の情報を記憶し、移動端末200から指定されるPMIに対応する重み行列を用いてデータシンボルをプリコーディング処理する。
【００３２】
多重部103は、プリコーディング処理されたデータシンボルに、無線基地局100と移動端末200の両方において既知のパイロット信号RSや各種制御信号を多重する。S/P部104は、多重されたシンボルを並列データに変換し、サブキャリアサンプルを出力する（図では、並列データの記載が省略されている）。IFFT部105は、各サブキャリアサンプルをIFFT処理して合成し、OFDM信号を出力する。ガードインターバル（GI）挿入部106は、OFDM信号間にガードインターバルを挿入する。IFFTはInverse Fast Fourier Transformの略称である。ガードインターバルをGIと称す場合がある。
【００３３】
無線部107は、GIが挿入されたOFDM信号をD/A変換し、ベースバンド周波数から無線周波数に変換して、ダウンリンク信号をアンテナ109から送信する。また、無線部107は、アンテナ109で受信される移動端末200からのアップリンク信号を受信する。本実施の形態例におけるアップリンク信号は、移動端末200における復号部210の復号可否の応答信号ACK/NACK及び後述するPMI演算部207で求められたPMIを含む。無線部107を受信されたアップリンク信号を無線周波数からベースバンド周波数に変換し、A/D変換する。無線基地局100の復調処理については詳述しないが、その原理は後述する移動端末200における復調処理と同様である。移動端末200からのアップリンク信号に含まれるPMIは、プリコーディング処理部102に入力され、プリコーディング処理部102で用いられる重み行列を指定する。移動端末200からのアップリンク信号に含まれるACK/NACKはHARQ処理部108に入力される。HARQ制御部108は、移動端末200からのACK/NACK信号に基づいて、データ再送の要否を判定し、NACK信号を受信すると、NACK信号に対応するユーザデータを再送のために出力する。
【００３４】
移動端末200の構成について説明する。無線部201は、アンテナ212で受信された無線基地局100からのダウンリンク信号を無線周波数からベースバンド周波数に変換し、A/D変換する。シンボル抽出部202は、既知のパイロット信号を用いた所定のタイミング検出処理により求められた各シンボルの先頭の受信タイミングに基づいて、ガードインターバルを除去し、シンボルを抽出する。
【００３５】
FFT部203は、入力されたシンボルをFFT処理してサブキャリアサンプルに変換する。チャネル推定部205は、受信されたパイロット信号と既知のパイロット信号との相関を演算し、サブキャリア毎のチャネル推定値を演算する。復調部204は、サブキャリア毎のチャネル推定値を用いてデータシンボルを復調する。各サブキャリアに対して、それぞれのチャネル推定値の複素共役数を乗算することにより、マルチパスフェージングなどに起因する伝搬路での信号の歪みが補償される。PMI演算部207は、求められたチャネル推定値を用いて、上述の（３）式に従ってPMIを演算する。
【００３６】
図２は、PMI演算部207の構成例を示す図である。PMI演算部207は、メトリック演算部207a、記憶・選択部207bを備える。チャネル推定部205で求められた受信アンテナの数分の各チャネル推定値HとPMI毎のすべての重み行列Wがメトリック演算部207ａに入力される。メトリック演算部207aは、受信アンテナの数分の各チャネル推定値Hを最大比合成(Maximum Ratio Combining)処理する。そして、メトリック演算部207aは、複数本の隣接するサブキャリアの周波数帯域であるサブバンド単位ですべてのPMI毎に上述の（３）式で例示されるメトリックMiを演算する。記憶／選択部207bは、各PMI毎のメトリックMiを記憶し、最大メトリックを与える重み行列に対応するPMIを選択して出力する。
【００３７】
PMI演算部207により選択されたPMIは停止制御部211に出力され、停止制御部211の制御に従って、PMIはアップリンク信号として無線基地局100に送信される。停止制御部211の動作については後述する。
【００３８】
SIR推定部206は、受信されたパイロット信号とその共役複素数を用いた既知の方法によりSIR推定値を求める。SIRは、受信信号中の希望信号電力と干渉信号電力の比であり、Signal to Interference Ratioの略称である。受信信号のアンテナ212での受信レベルは、各アンテナ212毎にばらつきがある。無線部201は、各受信信号が一定の適正レベルになるようにAGC制御するため、受信レベルに応じて各受信信号の増幅率が異なり、そのため、受信信号に含まれる干渉信号成分であるノイズのレベルも各受信信号毎に異なる。AGCはAuto Gain Controlの略称である。復調部204が例えば最尤復調を実施する場合、希望信号成分のレベルは尤度判定の精度に影響を与えるため、復調部204はSIR推定値に基づいてシンボルを正規化処理する。これにより、各シンボルにおけるノイズ成分レベルが一定となり、各シンボルのレベル差が希望波成分のレベル差となり、正確な復調が実現する。
【００３９】
HARQ合成部208は、復調されたデータが再送データである場合に、内部メモリに格納されている元データと合成する。元データは今回の再送より前に送信されているデータである。HARQ合成制御部209は、復調されたデータが再送データであるかどうか判定し、再送データであると判定すると、HARQ合成部208で再送データと元データが合成されるように制御する。
【００４０】
復号部210は、符号化されたデータを復号し、さらにCRC符号による誤り検出処理を実行する。誤り検出処理結果である復号成功／復号失敗の情報は、HARQ合成制御部210に入力される。HARQ合成制御部209は、誤り検出処理結果に基づいて、ACK/NACK信号を生成する。ACK/NACK信号は、アップリンク信号として無線基地局100に送信される。移動端末200の送信処理については詳述しないが、その原理は、上述した無線基地局100における送信処理と同様である。
【００４１】
図３は、HARQ合成部208及びHARQ合成制御部209の構成例を示す図である。HARQ合成制御部209は、受信信号情報管理部2091と、待ち受け状態管理部2092とを備える。受信信号情報管理部2091は、復調部204で復調された制御信号から、制御信号に対応するユーザデータのプロセス番号と、そのプロセス番号のユーザデータが再送データであるか新規データであるかの新規／再送識別情報を抽出し記憶する。
【００４２】
受信信号情報管理部2091は、ユーザデータが再送データである場合に、HARQ合成部208の読み出し部2082に対して、該再送データの元データをデータメモリ2084からの読み出しを指示する。読み出し部2082は、データメモリ2084から当該元データを読み出し、加算部2081は、復調された再送データと読み出された元データとを合成する。例えば新規データの場合のように、データメモリ2084から元データが読み出されない場合は、加算部2081は、そのまま復調されたデータを出力する。書き込み部2083は、加算部2081からのデータを取得し、HARQ合成制御部209の待ち受け状態管理部2092からの書き込み指示を受信すると、そのデータをデータメモリ2084に書き込む。
【００４３】
HARQ合成制御部209の待ち受け状態管理部2092は、ユーザデータのプロセス番号と、そのプロセス番号のユーザデータが新規データであるべきなのか再送データであるべきなのかの期待モード情報と、再送データである場合の再送回数とを記憶する。各プロセス番号に対する期待モード情報の初期値は「新規」である。待ち受け状態管理部2092は、復号部210からの誤り検出処理結果に基づいて、期待モード情報と再送回数を更新する。例えば、待ち受け状態管理部2092は、復号失敗の誤り検出処理結果を受信すると、そのプロセス番号の期待モード情報を「再送待ち」状態に設定し、書き込み部2083に対して、そのプロセス番号のデータのデータメモリ2084への書き込みを指示する。また、待ち受け状態管理部2092は、「再送待ち」を設定した回数をカウントし、再送回数をインクリメントする。また、待ち受け状態管理部2092のACK/NACK生成部2092Aは、復号失敗の誤り検出処理結果を受信すると、NACK信号を生成し、無線基地局100に送信する。待ち受け状態管理部2092のACK/NACK生成部2092Aは、復号成功の誤り検出処理結果を受信すると、ACK信号を生成し、無線基地局100に送信する。なお、受信信号情報管理部2091は、制御信号から得られた各プロセス番号の新規／再送識別情報と、待ち受け状態管理部2092に登録されている期待モード情報とを比較し、一致していることを確認する。
【００４４】
停止制御部211は、HARQ合成制御部209の待ち受け状態管理部2092で監視している各プロセス番号の期待モード情報に基づいて、PMI演算部207の演算処理を停止するかどうか判定し、停止すると判定した場合に、PMI演算部207の演算処理を停止させる停止制御を実行する。停止制御部211の停止制御について説明する。
【００４５】
（第１の停止制御方法）
図４は、停止制御部211の第１の停止制御処理を説明するための図である。HARQ合成制御部209は、一例として、最新のプロセス番号から遡って最大８つのプロセス番号の再送状態を監視する（監視対象プロセス数Np_max=8）。第１の停止制御処理では、停止制御部211は、監視対象のプロセス番号の期待モード情報が全て「再送待ち」となると、PMI演算部207の演算処理を停止させる。図４（ａ）は、プロセス番号と再送回数の変化例を示す図であり、再送回数が１以上は、期待モード情報は「再送」である。従って、図４（ａ）の例では、PMI演算部207は、プロセス番号13について復号失敗の誤り検出処理結果を受信すると、８つ全ての監視対象プロセス番号の期待モード情報が「再送待ち」となるので、そのタイミングでPMI演算部207の演算処理動作を停止させる。
【００４６】
図４（ｂ）は、第１の停止制御処理のフローチャートである。停止制御部211は、HARQ合成制御部209の全ての監視対象プロセス番号の期待モード情報が「再送待ち」であるかどうか判定する（S100）。全てのプロセス番号の期待モード情報が「再送待ち」である場合、停止制御部211は、PMI演算部207の演算処理を停止させ（PMI演算OFF）（S101）、あらかじめ決められた固定のPMIを無線基地局100に送信する（S102）。演算処理が停止中のときは、停止を維持する。全てのプロセス番号の期待モード情報が「再送待ち」でない場合、PMI演算部207の演算処理動作を継続させ（PMI演算ON）（S103）、演算結果に基づき選択されたPMIを無線基地局100に送信する(S104)。PMI演算部207の演算処理動作が停止中のときは、停止制御部PMI演算部207の演算処理動作を再開させる。
【００４７】
S102で送信される固定のPMIは、サブバンド毎に異なる複数のPMIであってもよいし、全サブバンドに共通の一つのPMIであってもよい。以下、後述の第２の停止制御処理及び第３の停止制御処理においても、あらかじめ決められる固定のPMIは、サブバンド毎に異なる複数のPMIであってもよいし、全サブバンドに共通の一つのPMIであってもよい。
【００４８】
（第２の停止制御方法）
図５は、停止制御部211の第２の停止制御処理を説明するための図である。第２の停止制御処理では、停止制御部211は、監視対象プロセス数Np_max=8のうち直近のB(B<Np_max)個のプロセス番号の期待モード情報が「再送待ち」となると、PMI演算部207の演算処理を停止させる。図５（ａ）は、図４（ａ）と同様に、プロセス番号と再送回数の変化例を示す図であり、再送回数が１以上は、期待モード情報は「再送」である。B=3の場合、図５（ａ）の例では、PMI演算部207は、プロセス番号8について復号失敗の誤り検出処理結果を受信すると、直近３つの監視対象プロセス番号の期待モード情報が「再送待ち」となるので、そのタイミングでPMI演算部207の演算処理動作を停止させる。
【００４９】
図５（ｂ）は、第２の停止制御処理のフローチャートである。停止制御部211は、HARQ合成制御部209の監視対象プロセス番号のうち最新の番号から遡って直近B個のプロセス番号の期待モード情報が「再送待ち」であるかどうか判定する（S200）。直近B個のプロセス番号の期待モード情報が「再送待ち」である場合、停止制御部211は、PMI演算部207の演算処理を停止させ（PMI演算OFF）（S201）、あらかじめ決められた固定のPMIを無線基地局100に送信する（S202）。演算処理が停止中のときは、停止を維持する。直近B個のプロセス番号の期待モード情報が「再送待ち」でない場合、PMI演算部207の演算処理動作を継続させ（PMI演算ON）（S203）、演算結果に基づいて選択されたPMIを無線基地局100に送信する(S204)。PMI演算部207の演算処理動作が停止中のときは、停止制御部PMI演算部207の演算処理動作を再開させる。
【００５０】
（第３の停止制御方法）
図６は、停止制御部211の第３の停止制御処理を説明するための図である。第３の停止制御処理では、停止制御部211は、監視対象プロセス数Np_max=8のうちC(C<Np_max)個のプロセス番号の期待モード情報が「再送待ち」であって、且つその再送回数が閾値D以上となると、PMI演算部207の演算処理を停止させる。この場合、C個は、直近のプロセス数でなくともよい。図６（ａ）は、図４（ａ）と同様に、プロセス番号と再送回数の変化例を示す図であり、再送回数が１以上は、期待モード情報は「再送」である。C=3、D=2の場合、図６（ａ）の例では、PMI演算部207は、プロセス番号16について復号失敗の誤り検出処理結果を受信すると、監視対象プロセス数Np_max=8のうちC(C<Np_max)個のプロセス番号の期待モード情報が「再送待ち」であり且つその再送回数が２回以上となるので、そのタイミングでPMI演算部207の演算処理動作を停止させる。
【００５１】
図６（ｂ）は、第３の停止制御処理のフローチャートである。停止制御部211は、HARQ合成制御部209の監視対象プロセス番号のうちC個のプロセス番号の期待モード情報が「再送待ち」であり且つその再送回数が閾値値D以上であるかどうか判定する（S300）。C個のプロセス番号の期待モード情報が「再送待ち」であり且つその再送回数が閾値D以上である場合、停止制御部211は、PMI演算部207の演算処理を停止させ（PMI演算OFF）（S301）、あらかじめ決められた固定のPMIを無線基地局100に送信する（S302）。演算処理が停止中のときは、停止を維持する。C個のプロセス番号の期待モード情報が「再送待ち」であり且つその再送回数が閾値D以上でない場合、PMI演算部207の演算処理動作を継続させ（PMI演算ON）（S303）、演算結果に基づき選択されたPMIを無線基地局100に送信する(S304)。PMI演算部207の演算処理動作が停止中のときは、停止制御部PMI演算部207の演算処理動作を再開させる。
【００５２】
上述の第１乃至第３の停止制御方法の変形例として、停止制御部211が固定のPMIを無線基地局100に送信しないようにしてもよい。この場合、無線基地局100のプリコーディング処理部102にあらかじめ決められた固定のPMIが登録され、プリコーディング処理部102は、移動端末200からPMIを受信するかどうか判定し、受信しないタイミングにおいて、あらかじめ登録されている固定のPMIに基づいて、プリコーディング処理を行うようにしてもよい。プリコーディング処理部102に設定される固定のPMIも、サブバンド毎に異なる複数のPMIであってもよいし、全サブバンドに共通の一つのPMIであってもよい。移動端末200が固定のPMIを送信しないことで、そのための送信電力を削減することができ、さらなる電力消費の削減を図ることができる。
【００５３】
上述の実施の形態例では、停止制御部211は、受信信号の再送状況に基づいて、PMI演算の停止制御を行う例について説明したが、再送状況に代わって、SIR推定値に基づいて、PMI演算の停止制御を行ってもよい。SIR推定値は、受信信号に含まれるノイズ比を表すので、ノイズ比が大きいほど、PMIの確からしさが低下する。
【００５４】
停止制御部211は、SIR推定部206で求められるSIR推定値が所定の閾値以上であるかどうかを判定し、閾値以上である場合は、PMI演算部207の演算処理を停止させ、あらかじめ決められた固定のPMIを無線基地局100に送信する。又は、停止制御部211は、SIR推定値が所定の閾値以上である場合は、PMI演算部207の演算処理を停止させ、PMIの無線基地局100への送信も停止する。無線基地局100のプリコーディング処理部102は、移動端末200からPMIを受信しない場合は、プリコーディング処理部102に設定されているあらかじめ決められた固定のPMIを用いてプリコーディング処理を実施する。停止制御部211は、SIR推定値が所定の閾値未満である場合は、PMI演算部207に演算処理を行わせ、演算結果に基づき選択されたPMIを無線基地局100に送信する。
【００５５】
本実施の形態例における無線通信装置は、移動端末200を例に説明したが、無線基地局装置100にも適用可能である。
【００５６】
また、上述では、LTEシステムに適用されるPMI演算停止制御処理について説明したが、PMI演算停止制御処理を実施する無線通信装置は、LTEシステムの無線受信装置に限られない。本実施の形態のPMI演算停止制御処理は、送信側でプリコーディング処理を実施しPMIを受信側からフィードバックするクローズドループ制御を採用する他の通信システムの無線通信装置に適用可能である。
【００５７】
また、クローズドループ制御によるプリコーディング処理は、送受信アンテナ間で複数のチャネルが定義される無線通信システムに適用可能である。従って、本実施の形態例は、MIMOシステムに限られず、例えば、SIMOシステムやMISOシステムのように、送受信アンテナ間で複数のチャネルが定義される無線通信システムにも適用可能である。SIMOはSingle-Input Multi-Outputの略称であり、MISOはMulti-Input Single-Outputの略称である。
【００５８】
以上説明した実施の形態の主な技術的特徴は、以下の付記の通りである。
【００５９】
（付記１）
送信信号のプリコーディング処理に用いられる重み行列についての識別情報を他の無線通信装置に送信し、該他の無線通信装置により該識別情報を用いてプリコーディング処理されて送信される信号を受信する無線通信装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
受信信号の再送状態が所定条件を満たすと、前記演算部で行われている演算処理を停止させる停止制御部と、
を備えることを特徴とする無線通信装置。
【００６０】
（付記２）
付記１の無線通信装置において、
前記停止制御部は、前記演算部で行われている演算処理を停止すると、あらかじめ決められた固定の識別情報を前記他の他の通信装置に送信することを特徴とする無線通信装置。
【００６１】
（付記３）
付記１の無線通信装置において、
前記停止制御部は、前記演算部で行われている演算処理を停止させると、前記他の通信装置への前記識別情報の送信を停止することを特徴とする無線通信装置。
【００６２】
（付記４）
付記１の無線通信装置において、
前記所定条件は、再送状態が再送待ちである受信信号の数が所定数以上であることを特徴とする無線通信装置。
【００６３】
（付記５）
付記１の無線通信装置において、
前記所定条件は、再送状態が再送待ちである受信信号の数が最新の受信信号から遡って所定数以上であることを特徴とする無線通信装置。
【００６４】
（付記６）
付記１の無線通信装置において、
前記再送状態は、各受信信号が再送待ちである場合の再送回数を含み、
前記所定条件は、再送回数が所定閾値以上である受信信号の数が所定数以上であることを特徴とする無線通信装置。
【００６５】
（付記７）
送信信号のプリコーディング処理に用いられる重み行列についての識別情報を他の無線通信装置に送信し、該他の無線通信装置により該識別情報を用いてプリコーディング処理されて送信される信号を受信する無線通信装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
受信信号に含まれるデータ信号成分と干渉信号成分との電力比が所定値以下となると、前記演算部で行われている演算処理を停止させる停止制御部と、
を備えることを特徴とする無線通信装置。
【００６６】
（付記８）
付記７の無線通信装置において、
前記停止制御部は、前記演算部で行われている演算処理を停止させると、あらかじめ決められた固定の前記識別情報を前記他の通信装置に送信することを特徴とする無線通信装置。
【００６７】
（付記９）
付記７の無線通信装置において、
前記停止制御部は、前記演算部で行われている演算処理を停止させると、前記他の通信装置への前記識別情報の送信を停止することを特徴とする無線通信装置。
【００６８】
（付記１０）
付記１乃至９のいずれか１項に記載の無線通信装置において、
無線通信装置は移動端末であり、他の通信装置である無線基地局から信号を受信することを特徴とする無線通信装置。
【００６９】
（付記１１）
付記１乃至１０のいずれか１項に記載の無線通信装置において、
複数の受信側アンテナを有し、複数の受信側アンテナそれぞれが複数の送信側アンテナから送信される信号を受信することを特徴とする無線通信装置。
【００７０】
（付記１２）
送信信号のプリコーディング処理に用いられる重み行列についての識別情報を送信する第１の無線通信装置と、前記第１の無線通信装置からの当該識別情報を受信し、当該識別情報を用いてプリコーディング処理した信号を送信する第２の無線通信装置とを備える無線通信システムにおいて、
前記第１の無線通信装置は、
前記第２の無線通信装置から送信される信号を受信し、当該受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
受信信号の再送状態が所定条件を満たすと、前記演算部で行われている演算処理を停止させる停止制御部と、
を備え、
前記第２の無線通信装置は、
前記第１の無線通信装置から前記識別情報を受信しない場合、あらかじめ決められた固定の前記識別情報によりプリコーディング処理するプリコーディング処理部を備えることを特徴とする無線通信システム。
【００７１】
（付記１３）
送信信号のプリコーディング処理に用いられる重み行列についての識別情報を他の通信装置に送信し、当該他の通信装置により当該識別情報を用いてプリコーディング処理されて送信される信号を受信側アンテナで受信する無線通信装置の制御装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
受信信号の再送状態が所定条件を満たすと、前記演算部で行われている演算処理を停止させる停止制御部と、
を備えることを特徴とする制御装置。
【００７２】
（付記１４）
送信信号のプリコーディング処理に用いられる重み行列についての識別情報を他の無線通信装置に送信し、該他の無線通信装置により該識別情報を用いてプリコーディング処理されて送信される信号を受信する無線通信装置の制御装置において、
受信信号に含まれるパイロット信号から推定される前記他の無線通信装置の送信側アンテナと自装置の受信側アンテナ間のチャネル推定値を用いて所定の評価指標を演算し、演算結果に基づいて前記識別情報を選択する演算部と、
受信信号に含まれるデータ信号成分と干渉信号成分との電力比が所定値以下となると、前記演算部で行われている演算処理を停止させる停止制御部と、
を備えることを特徴とする制御装置。
【符号の説明】
【００７３】
100：無線基地局、101：変調部、102：プリコーディング処理部、103：多重部、104：S/P部、105：IFFT部、106：GI付加部、107：無線部、108：HARQ制御部、109：アンテナ、200：移動端末、201：無線部、202：シンボル抽出部、203：FFT部、204：復調部、205：チャネル推定部、206：SIR推定部、207：PMI演算部、208：HARQ合成部、209：HARQ合成制御部、201：復号部、211：停止制御部、212：アンテナ、2081：加算部、2082：読み出し部、2083：書き込み部、2084：データメモリ、2091：受信信号情報管理部、2092：待ち受け状態管理部、2092A：ACK/NACK生成部
【図１】
0005381405.tif 000006
【図２】
0005381405.tif 000007
【図３】
0005381405.tif 000008
【図４】
0005381405.tif 000009
【図５】
0005381405.tif 000010
【図６】
0005381405.tif 000011